(57)【要約】【課題】ルーツロータが摩耗した場合に生じるルーツポンプの効率の低下が抑制されるルーツポンプを提供する。【解決手段】吸込室６と吐出室７の間に配置されたロータケーシング８と、ロータケーシング８内に配置されて外部動力によって回転駆動される１組のルーツロータ９と、吸込室６と吐出室７の間を連絡して吐出室７内にある搬送対象流体の一部を吸込室６内に還流させるバイパス穴１４と、を備えて、外部から吸込室６に流入する搬送対象流体を、ロータケーシング８を通して吐出室７に送出して、吐出室７から外部に吐出させるルーツポンプ１において、バイパス穴１４の開度を変更する栓体１５を備える。【選択図】図１
2018062862.tif 000002
【特許請求の範囲】
【請求項１】
吸込室と吐出室の間に配置されたロータケーシングと、
前記ロータケーシング内に配置されて外部動力によって回転駆動される１組のルーツロータと、
前記吸込室と前記吐出室の間を連絡して前記吐出室内にある搬送対象流体の一部を前記吸込室内に還流させるバイパス流路と、を備えて、
外部から前記吸込室に流入する搬送対象流体を、前記ロータケーシングを通して前記吐出室に送出して、前記吐出室から外部に吐出させるルーツポンプにおいて、
前記バイパス流路の開度を変更するバイパス流路開度変更手段を備える、
ことを特徴とするルーツポンプ。
【請求項２】
前記バイパス流路開度変更手段は、前記バイパス流路に対して進退する栓体であって、
前記栓体は、前記栓体を進退軸に直交する平面で切断した断面積が、前記バイパス流路に近い端部で最小にされ、前記バイパス流路から遠ざかるに従って大きくされている、
ことを特徴とする請求項１に記載のルーツポンプ。
【請求項３】
前記栓体は、前記栓体を進退軸に直交する平面で切断した断面積が、前記バイパス流路から遠ざかるに従って、連続的に変化する、
ことを特徴とする請求項２に記載のルーツポンプ。
【請求項４】
前記栓体は、前記栓体を進退軸に直交する平面で切断した断面積が、前記バイパス流路から遠ざかるに従って、不連続に変化する、
ことを特徴とする請求項２に記載のルーツポンプ。  
【請求項５】
前記栓体は、ポンプケーシングに保持されて、前記バイパス流路に対して進退するシャフトの先端に固定されている、
ことを特徴とする請求項２ないし請求項４のいずれか一項に記載のルーツポンプ。
【請求項６】
前記シャフトが前記バイパス流路に対して進退する動作範囲を制限する動作範囲制限手段を備える、
ことを特徴とする請求項５に記載のルーツポンプ。
【請求項７】
前記シャフトには雄ねじが形成されていて、前記シャフトは前記雄ねじを前記ポンプケーシングに保持された雌ねじに噛み合わすことによって、前記ポンプケーシングに保持されるとともに、前記雄ねじを前記雌ねじに対して回転させることによって、前記ポンプケーシングに対して進退するよう構成されている、
ことを特徴とする請求項５に記載のルーツポンプ。
【発明の詳細な説明】
【技術分野】
【０００１】
本発明は、ルーツポンプに関する。
【背景技術】
【０００２】
ルーツポンプは、ポンプケーシングの中に１対のルーツロータを配置して構成されるポンプである。ポンプケーシングは、吸込口を備える吸込室と、吐出口を備える吐出室に区画され、吸込室と吐出室の間にロータケーシングが配置されている。また、ルーツロータはロータケーシングの内部に配置されている。ルーツロータが回転駆動されると、ルーツポンプの搬送対象の流体は、吸込口を通って吸込室の中に流入し、そして、吸込室から吐出室に移送され、最後に、吐出口を通ってポンプケーシングの外部に吐出される（特許文献１）。
【０００３】
特許文献１の図１に図示されているように、ポンプケーシングの内部にあって吸込室と吐出室を区画する隔壁には、バイパス流路（バイパス穴）が設けられている。バイパス流路は吸込室と吐出室を連絡する流路であって、吐出室内にある流体の一部を吸込室に還流させて、ルーツポンプの運転時に生じる吸込室の減圧を緩和する流路である。バイパス流路を備えなければ、吸込室内に大きな減圧が生じて、ルーツロータの駆動軸とポンプケーシングの間に装着されたメカニカルシールに大きな負荷が加わって、メカニカルシールが破れることがある。つまり、バイパス流路は、メカニカルシールに加わる負荷を緩和して、メカニカルシールの損耗を抑制するために備えられる。そのために、バイパス流路の寸法と形状は、ルーツロータの設計上の性能（効率）とバランスするように設計されている。
【先行技術文献】
【特許文献】
【０００４】
【特許文献１】特開２０１０−２４８９３７号公報
【発明の概要】
【発明が解決しようとする課題】
【０００５】
しかしながら、ルーツポンプの運転を続けるとルーツロータが摩耗して、その結果、ルーツロータの効率が低下する。一方、バイパス流路は吐出室内にある流体の一部を吸込室に還流させるので、元々、ルーツポンプの効率を低下させる働き（負の効果）がある。そのため、ルーツロータの効率が低下すると、バイパス流路の負の効果が相対的に大きくなって、ルーツポンプ全体の効率が大きく低下するという問題がある。つまり、バイパス流路の寸法と形状とルーツロータの効率のバランスが崩れ、その結果、ルーツポンプの効率が大きく低下するという問題がある。
【０００６】
本発明は、このような事情に鑑みてなされたものであり、ルーツロータが摩耗した場合に生じるルーツポンプの効率の低下が抑制されるルーツポンプを提供することを目的とする。
【課題を解決するための手段】
【０００７】
上記課題を解決するため、本発明に係るルーツポンプは、吸込室と吐出室の間に配置されたロータケーシングと、ロータケーシング内に配置されて外部動力によって回転駆動される１組のルーツロータと、吸込室と吐出室の間を連絡して吐出室内にある搬送対象流体の一部を吸込室内に還流させるバイパス流路と、を備えて、外部から吸込室に流入する搬送対象流体を、ロータケーシングを通して吐出室に送出して、吐出室から外部に吐出させるルーツポンプにおいて、バイパス流路の開度を変更するバイパス流路開度変更手段を備える、ことを特徴とするものである。
【０００８】
バイパス流路開度変更手段は、バイパス流路に対して進退する栓体であって、栓体は、栓体を進退軸に直交する平面で切断した断面積が、バイパス流路に近い端部で最小にされ、バイパス流路から遠ざかるに従って大きくされていても良い。
【０００９】
栓体は、栓体を進退軸に直交する平面で切断した断面積が、バイパス流路から遠ざかるに従って、連続的に変化するようにしても良い。
【００１０】
栓体は、栓体を進退軸に直交する平面で切断した断面積が、バイパス流路から遠ざかるに従って、不連続に変化するようにしても良い。  
【００１１】
栓体は、ポンプケーシングに保持されて、バイパス流路に対して進退するシャフトの先端に固定されていても良い。
【００１２】
シャフトがバイパス流路に対して進退する動作範囲を制限する動作範囲制限手段を備えるようにしても良い。
【００１３】
シャフトには雄ねじが形成されていて、シャフトは雄ねじをポンプケーシングに保持された雌ねじに噛み合わすことによって、ポンプケーシングに保持されるとともに、雄ねじを雌ねじに対して回転させることによって、ポンプケーシングに対して進退するよう構成されていても良い。
【発明の効果】
【００１４】
本発明に係るルーツポンプは、バイパス流路の開度を変更するバイパス流路開度変更手段を備えるので、ルーツロータの摩耗の進行に応じて、バイパス流路の開度を小さくすることができる。その結果、バイパス流路の負の効果が小さくなるので、ルーツロータが摩耗した場合に生じるルーツポンプの効率の低下が抑制される。
【図面の簡単な説明】
【００１５】
【図１】本発明の第１の実施形態に係るルーツポンプの断面図である。
【図２】図１に示した栓体の動作を説明する図であり、図２（ａ）は栓体がバイパス流路の外に完全に引き出された状態、図２（ｂ）は栓体の先端部がバイパス流路の中に差し込まれた状態、図２（ｃ）は栓体の中間部がバイパス流路の中に差し込まれた状態、図２（ｄ）は栓体の基部がバイパス流路の中に嵌め込まれた状態、をそれぞれ示している。
【図３】本発明の第２の実施形態に係る栓体の形状を示す外形図であって、図３（ａ）は栓体の外形が円錐形をなす例、図３（ｂ）は栓体の外形が円錐台形をなす例、をそれぞれ示している。
【図４】本発明の第３の実施形態に係る構成を示す断面図であって、蓋とグリップの間において、シャフトにカラーを取り付けた状態を示す図である。
【図５】本発明の第４の実施形態に係る構成を示す断面図であって、蓋に固定されたナットにシャフトに形成された雄ねじを螺合させた状態を示す図である。
【発明を実施するための形態】
【００１６】
以下、本発明を実施するための形態を、図面を参照しながら説明する。
【００１７】
（第１の実施形態）
図１は、本発明の第１の実施形態に係るルーツポンプ１の断面図である。ルーツポンプ１は、吸込口２を通ってポンプケーシング３内に吸い込まれた流体を加圧して、吐出口４から吐出させるポンプである。図１に示すように、ポンプケーシング３の内部は隔壁５によって仕切られて、吸込室６と吐出室７に区画されている。吸込口２は吸込室６と外部空間の間に配置され、吐出口４は吐出室７と外部空間の間に配置されている。吸込室６と吐出室７の間には、ロータケーシング８が配置されている。ロータケーシング８は、繭型の断面形を成していて、吸込室６及び吐出室７と連絡する区画である。そのため、ルーツポンプ１によって搬送される流体は、外部空間から吸込口２を通って吸込室６の内部に吸入され、ロータケーシング８を通って吐出室７の内部に流入する。吐出室７の内部に流入した流体は吐出口４を通って外部空間に吐出される。
【００１８】
ロータケーシング８の内部には、２台のルーツロータ９が配置されている。ルーツロータ９は図示しない電動機で駆動されて紙面と直交する回転軸回りに回転する。また、ルーツロータ９は両端が円弧を成していて、中央部が括れている。また、ルーツロータ９の回転中心はルーツロータ９の中央部（括れた部分）にある。２台のルーツロータ９は、図示しないタイミングギヤによって、僅かなクリアランスを保ちながら、互いに接触することなしに、互いに逆向きに回転する。つまり一方のルーツロータ９が時計回りに回転する時に、他方は反時計回りに回転する。また、ルーツロータ９が回転する時、ルーツロータ９のいずれか一方の端部は、常にロータケーシング８の内面に接触するように構成されている。ルーツロータ９はこのように構成されているので、ルーツロータ９が回転すると、吸込室６内の流体が吐出室７に送出される。なお、ルーツロータ９は、芯金部（図示せず）の外側にポリウレタンゴム材（又はニトリルゴム材）によりライニング加工を施して構成される。一方、ロータケーシング８を含むポンプケーシング３は金属系の材料で構成される。また、ポリウレタンゴム材（又はニトリルゴム材）は金属系の材料に比べて柔らかい。そのため、ルーツロータ９がロータケーシング８の内面に接触しながら回転すると、主としてルーツロータ９が摩耗する。
【００１９】
吸込室６内と吐出室７には、それぞれ、掃除用穴１０，１１が開けられている。掃除用穴１０，１１は、吸込室６内と吐出室７に溜まった固形物（例えば、厨芥の破片等）を取り出す取り出し口であって、通常は、つまり図１に示す状態にあっては、蓋１２，１３が取付けられて、水密に閉塞されている。吸込室６内と吐出室７に溜まった固形物を取り出す場合には、つまり、吸込室６と吐出室７の掃除を行う場合には、蓋１２，１３は取り外されて、掃除用穴１０，１１が開放される。
【００２０】
図１に示すように、隔壁５は、ロータケーシング８を挟んで上部隔壁５ａと下部隔壁５ｂに分割されていて、下部隔壁５ｂにはバイパス穴１４が開けられている。バイパス穴１４は、吸込室６と吐出室７の間を連絡して、吐出室７内にある流体の一部を吸込室６に還流させて、ルーツポンプ１の運転時に生じる吸込室６の減圧を緩和するバイパス流路である。また、吐出室７内には栓体１５が配置されている。栓体１５は、必要に応じて、バイパス穴１４に装着されて、バイパス穴１４を閉塞する部材であって、先端部１５ａと中間部１５ｂと基部１５ｃを備えている。先端部１５ａと中間部１５ｂと基部１５ｃは、それぞれ円柱状の外形を備えていて、先端部１５ａは径が最も小さく、基部１５ｃは径が最も大きくされている。また、中間部１５ｂの径は先端部１５ａと基部１５ｃの中間の径を有している。基部１５ｃの径はバイパス穴１４の内径と同一であり、基部１５ｃの長さは下部隔壁５ｂの厚さよりも大きくされている。そのため、基部１５ｃをバイパス穴１４に挿入すると、バイパス穴１４は完全に閉塞される。つまり、基部１５ｃをバイパス穴１４に挿入すると、バイパス穴１４の開度は０％になる。なお、図１は、栓体１５がバイパス穴１４から完全に引き出された状態、つまりバイパス穴１４が完全に開放された状態（開度１００％）を示している。
【００２１】
栓体１５は、シャフト１６の先端に固定されていて、シャフト１６は蓋１３に進退自在に取り付けられていて、蓋１３を貫通している。シャフト１６の反対側の端部、つまり、蓋１３の外側にあるシャフト１６の端部にはグリップ１７が取り付けられている。また、蓋１３とシャフト１６の間の隙間にはＯリング１８が装着されていて、流体の漏洩を防いでいる。このように構成されているので、グリップ１７を掴んで、シャフト１６を押し引きすることによって、栓体１５をバイパス穴１４に対して進退させることができる。図１において、グリップ１７を左方向に押し出せば、栓体１５はバイパス穴１４に接近する。グリップ１７を右方向に引き戻せば、栓体１５はバイパス穴１４から離隔する。
【００２２】
次に、図２を参照して、栓体１５のバイパス穴１４に対する相対的な位置と、バイパス穴１４の開度の関係を説明する。図２（ａ）〜（ｄ）は、図１の部分拡大図である。図２（ａ）に示す状態においては、栓体１５はバイパス穴１４から完全に引き出されていて、バイパス穴１４は開度１００％の状態にある。図２（ｄ）に示す状態においては、バイパス穴１４は開度０％の状態にある。図２（ｂ）と図２（ｃ）は、バイパス穴１４が中間開度を取る状態にあり、図２（ｂ）に示す状態におけるバイパス穴１４の開度は、図２（ｃ）に示す状態におけるバイパス穴１４の開度より大きい。
【００２３】
図２（ａ）に示す状態において、グリップ１７を左方向に押し出して、図２（ｂ）に示すように、栓体１５の先端部１５ａをバイパス穴１４に挿入するとバイパス穴１４の開度は減少する。仮に、先端部１５ａの断面積がバイパス穴１４の断面積の３０％だとしたら、図２（ｂ）の状態において、バイパス穴１４の断面積の内、実際に流体が通過する部分の断面積は７０％に減少する。つまり、バイパス穴１４の開度は７０％に減少する。
【００２４】
図２（ｂ）に示す状態から、グリップ１７を更に左方向に押し出して、図２（ｃ）に示すように、栓体１５の中間部１５ｂをバイパス穴１４に挿入するとバイパス穴１４の開度は更に減少する。仮に、中間部１５ｂの断面積がバイパス穴１４の断面積の７０％だとしたら、図２（ｃ）の状態において、バイパス穴１４の断面積の内、実際に流体が通過する部分の断面積は３０％に減少する。つまり、バイパス穴１４の開度は３０％に減少する。
【００２５】
図２（ｃ）に示す状態から、グリップ１７を更に左方向に押し出して、図２（ｄ）に示すように、栓体１５の基部１５ｃをバイパス穴１４に嵌め込むとバイパス穴１４は完全に閉塞される。つまり、図２（ｄ）の状態においては、バイパス穴１４の開度は０％になる。
【００２６】
このように、本発明の第１の実施形態に係るルーツポンプ１においては、栓体１５がバイパス穴１４に対して進退自在に取り付けられていて、栓体１５をバイパス穴１４に対して進退させることによって、バイパス穴１４の開度を変更することができる。このように、栓体１５は、バイパス穴１４の開度を変更するバイパス流路開度変更手段として機能する。
【００２７】
（第２の実施形態）
第１の実施形態においては、栓体１５に先端部１５ａと中間部１５ｂと基部１５ｃを備えて、バイパス穴１４の開度を不連続（段階的）に変更する例を示したが、栓体１５の形状は、このようなものには限定されない。栓体１５は、例えば、図３（ａ）に示すような円錐形、あるいは図３（ｂ）に示すような円錐台形の外形を備えていても良い。このように、栓体１５の外形を円錐形又は円錐台形にすれば、バイパス穴１４の開度を連続的（無段階）に変化させることができる。バイパス穴１４の開度を連続的（無段階）に変化させることができれば、バイパス穴１４の開度の微妙な調整が可能になり、ルーツポンプ１の性能が向上する。
【００２８】
（第３の実施形態）
第１及び第２の実施形態においては、栓体１５の動作範囲に特に制限を設けない例を示した。そのため、第１及び第２の実施形態においては、バイパス流路の開度を０％から１００％の間で自由に変更することができたが、バイパス流路開度変更手段によってバイパス流路の開度が変更される範囲を制限又は変更できるようにしても良い。例えば、図４に示すように、蓋１３とグリップ１７の間において、シャフト１６に円筒状のカラー１９を取り付けて、シャフト１６の動作範囲を制限するようにしても良い。このように構成すれば、バイパス流路の開度が変更される範囲を制限することができる。なお、カラー１９の取り付けは、グリップ１７をシャフト１６から取り外して行う。つまり、グリップ１７をシャフト１６から取り外して、カラー１９をシャフト１６に嵌め込み、その後にグリップ１７をシャフト１６に取り付ける。また、サイズ（長さ）の異なる複数のカラー１９を用意して、適宜交換するようにすれば、バイパス流路開度変更手段によってバイパス流路の開度が変更される範囲を変更することができる。
【００２９】
（第４の実施形態）
第１ないし第３の実施形態においては、シャフト１６が、シャフト１６とＯリング１８の間に生じる摩擦力によって、ポンプケーシング３に保持されるようにしたが、シャフト１６をポンプケーシング３に保持する手段は摩擦力を利用するものには限定されない。シャフト１６に雄ねじを形成して、該雄ねじをポンプケーシング３に保持された雌ねじに噛み合わすようにしても良い。例えば、図５に示すように、シャフト１６に雄ねじ１６ａを形成し、雄ねじ１６ａを蓋１３に固定されたナット１３ａに噛み合わせて、雄ねじ１６ａがナット１３ａで保持されるようにしても良い。なお、蓋１３はポンプケーシング３に保持されているので、蓋１３に固定されたナット１３ａはポンプケーシング３に保持された雌ねじに相当する。このような構成を選択すれば、シャフト１６に軸方向の外力が加わっても、シャフト１６は蓋１３に対して進退しない。そのため、栓体１５がポンプケーシング３内の流体から大きな圧力を受けても、栓体１５はバイパス穴１４に対して進退しないので、バイパス穴１４の開度は変動しない。一方、シャフト１６を長さ方向の中心軸回りに回転させれば、シャフト１６はポンプケーシング３に対して進退し、栓体１５はバイパス穴１４に対して進退する。そのため、必要な場合には、バイパス穴１４の開度を変更することができる。
【００３０】
（作用）
最後に第１ないし第４の実施形態に係るルーツポンプ１の作用について説明する。ルーツポンプ１が新品の時は、バイパス穴１４の開度１００％の状態で、ルーツポンプ１を運転する。バイパス穴１４の断面積は、ルーツロータ９が設計された通りの形状を備えている時、つまり新品の時のルーツロータ９の性能とバランスするように設定されている。そのため、バイパス穴１４の開度を１００％にすれば、ルーツポンプ１は、ほぼ設計通りの性能を発揮する。
【００３１】
しかしながら、ルーツロータ９は常にロータケーシング８に接触していて、しかもルーツロータ９はロータケーシング８よりも柔らかい材料（ポリウレタンゴム等）で構成されているので、ルーツポンプ１の運転を続けると、ルーツロータ９は摩耗する。特に、ルーツポンプ１で汚水やスラリーを輸送する場合には、輸送対象の流体に固体（例えば泥の粒子や厨芥）が含まれているので、摩耗の進行が速い。その結果、ルーツロータ９の効率が低下し、ルーツポンプ１の性能が低下する。また、ルーツロータ９の効率が低下すると、ルーツロータ９の効率とバイパス穴１４の開口断面積のバランスが崩れる。つまり、ルーツロータ９の効率に比べてバイパス穴１４の開口断面積が過大になる。そのため、ルーツポンプ１の性能が更に低下する。そこで、図２（ｂ）に示すように、栓体１５をバイパス穴１４に向けて前進させ、栓体１５の先端部１５ａをバイパス穴１４の中に入れて、バイパス穴１４の開度を小さくすると、ルーツロータ９の効率とバイパス穴１４の開口断面積のバランスが回復し、その結果、ルーツポンプ１の性能が回復する。
【００３２】
図２（ｂ）に示す状態において、ルーツポンプ１の運転を更に続けると、ルーツロータ９は更に摩耗する。その結果、ルーツロータ９の効率は更に低下する。そして、ルーツロータ９の効率とバイパス穴１４の開口断面積のバランスが再度崩れる。そこで、図２（ｃ）に示すように、栓体１５をバイパス穴１４に向けて更に前進させ、栓体１５の中間部１５ｂをバイパス穴１４の中に入れて、バイパス穴１４の開度を更に小さくする。バイパス穴１４の開度を小さくすると、ルーツロータ９の効率とバイパス穴１４の開口断面積のバランスが回復する。その結果、ルーツポンプ１の性能が回復する。
【００３３】
図２（ｃ）に示す状態において、ルーツポンプ１の運転を更に続けると、ルーツロータ９は更に摩耗する。その結果、ルーツロータ９の効率は更に低下する。そして、ルーツロータ９の効率とバイパス穴１４の開口断面積のバランスが再々度崩れる。そこで、図２（ｄ）に示すように、栓体１５をバイパス穴１４に向けて更に前進させ、栓体１５の基部１５ｃをバイパス穴１４に嵌め込んで、バイパス穴１４を完全に閉塞する。つまり、バイパス穴１４の開度を０％にする。バイパス穴１４の開度を０％にすると、ルーツロータ９の効率とバイパス穴１４の開口断面積のバランスが回復する。その結果、ルーツポンプ１の性能が回復する。
【００３４】
以上説明したように、第１ないし第４の実施形態に係るルーツポンプ１においては、ロータケーシング８とルーツロータ９の摩耗の進行と、それに伴うルーツロータ９の効率の低下に応じて、バイパス穴１４の開度を縮小することができる。このため、ルーツロータ９の効率が低下してもルーツロータ９の効率とバイパス穴１４の開度のバランスを維持することができる。その結果、ロータケーシング８とルーツロータ９の摩耗に起因するルーツポンプ１の性能低下を抑制することができる。ひいては、ルーツポンプ１の長寿命化を図ることができる。
【００３５】
なお、上記の各実施形態は、本発明の具体的実施態様の一例を示すものであって、本発明の技術的範囲を画すものではない。本発明は特許請求の範囲に記述された技術的思想の限りにおいて、自由に変形、応用あるいは改良して実施することができる。
【００３６】
図１に示したルーツポンプ１の形態は例示であって、本発明の技術的範囲は図１の記載によっては限定されない。例えば、図１において、いわゆる２葉型のルーツロータ９を図示したが、本発明に係るルーツポンプ１が備えるルーツロータ９は２葉型には限定されない。ルーツロータ９は３葉型あるいは４葉型であっても良い。なお、３葉型のルーツロータ９については、必要ならば、特開平８−３０３３５５号公報を参照されたい。
【００３７】
図１においては、バイパス穴１４をロータケーシング８の下方に位置する下部隔壁５ｂに設けた例を示したが、バイパス穴１４を設ける場所は下部隔壁５ｂには限定されない。バイパス穴１４は上部隔壁５ａに設けられても良い。また、バイパス流路は隔壁５に穿たれた「穴」には限定されない。そもそも、隔壁５は本発明の必須の構成要素ではないので、隔壁５を備えないルーツポンプ１（例えば、吸込室６と吐出室７がロータケーシング８を介して連結されていて、両者を区画する隔壁５を観念できないルーツポンプ１）も存在し得る。したがって、隔壁５に穿たれた「穴」以外のバイパス流路もあり得る。例えば、吸込室６と吐出室７の外側に、吸込室６と吐出室７を連絡する管路を備えて、該管路をバイパス流路としても良い。
【００３８】
上記各実施形態においては、バイパス流路開度変更手段の具体例として、バイパス穴１４に対して進退する栓体１５を例示したが、バイパス流路開度変更手段は栓体１５には限定されない。バイパス流路開度変更手段は、例えば、隔壁５に接触しながら隔壁５に平行に移動して、あるいは隔壁５に接触しながら隔壁５に垂直な軸回りに回転して、バイパス穴１４を開閉する弁体であっても良い。また、吸込室６と吐出室７を連絡する管路をバイパス流路とする場合には、管路の途中に調整弁を配置して、該調整弁がバイパス流路開度変更手段として機能するようにしても良い。
【００３９】
また、上記各実施形態においては、蓋１３を介して、シャフト１６を間接的にポンプケーシング３に保持する例を示したが、シャフト１６はポンプケーシング３に直接的に保持されても良い。また、第４の実施形態において、ポンプケーシング３に保持された雌ねじの具体例として蓋１３に固定されたナット１３ａを例示したが、該雌ねじはナット１３ａには限定されない。蓋１３に穿設されて、シャフト１６が層通される貫通穴の内面に、ねじ溝を刻んで、雌ねじを形成するようにしても良い。また、シャフト１６がポンプケーシング３に直接的に保持される場合には、ナット１３ａをポンプケーシング３に固定して、シャフト１６に形成された雄ねじ１６ａをポンプケーシング３に固定されたナット１３ａと噛み合わせるようにしても良い。あるいは、ポンプケーシング３に穿設されて、シャフト１６が層通される貫通穴の内面に、ねじ溝を刻んで、雌ねじを形成するようにしても良い。
【００４０】
また、上記各実施形態のように、シャフト１６の先端に栓体１５を固定して、シャフト１６をポンプケーシング３に対して進退させる場合には、シャフト１６の長さ方向に、目盛りを刻むようにしても良い。このような目盛りを備えれば、目盛りを目安にしてバイパス穴１４の開度を調整することができる。
【００４１】
また、第１の実施形態において、栓体１５の先端部１５ａがバイパス穴１４に挿入された時の開度は７０％、栓体１５の中間部１５ｂがバイパス穴１４に挿入された時の開度は３０％と説明したが、開度の数値は例示である。栓体１５の構成は、前記数値によっては限定されない。
【符号の説明】
【００４２】
１    ルーツポンプ
２    吸込口
３    ポンプケーシング
４    吐出口
５    隔壁
５ａ  上部隔壁
５ｂ  下部隔壁
６    吸込室
７    吐出室
８    ロータケーシング
９    ルーツロータ
１０    掃除用穴
１１    掃除用穴
１２    蓋
１３    蓋
１３ａ  ナット
１４    バイパス穴
１５    栓体
１５ａ  先端部
１５ｂ  中間部
１５ｃ  基部
１６    シャフト
１６ａ  雄ねじ
１７    グリップ
１８    Ｏリング
１９    カラー
【図１】
2018062862.tif 000003
【図２】
2018062862.tif 000004
【図３】
2018062862.tif 000005
【図４】
2018062862.tif 000006
【図５】
2018062862.tif 000007